Podtech/llm-jp-corpus-v4-ja_patent huggingface dataset:
(57)【要約】【課題】耐水性のあるメイクアップ化粧料やサンスクリーン剤が市販され、肌荒れしづらいマイルドなクレンジング料では落としきれない、さらに完全に落とそうとすると皮膚への負担が大きくなり、肌荒れ等皮膚トラブルを生じるといった問題があった。【解決手段】常温で液状のオイル２種以上と、水に任意に溶解する常温で液状のアルキレングリコール及び／またはポリアルキレングリコールからなる群より選ばれた１種以上とを配合することを特徴とする透明なクレンジング組成物を提供するものである。【選択図】なし【特許請求の範囲】
【請求項１】
常温で液状のオイル２種以上と、水に任意の割合で溶解する常温で液状のアルキレングリコール及び／またはポリアルキレングリコールからなる群より選ばれた１種以上とを含有することを特徴とする透明で均一なクレンジング組成物。
【請求項２】
水に任意の割合で溶解する常温で液状のアルキレングリコール及び／またはポリアルキレングリコールからなる群より選ばれた１種以上に対しての溶解度が１０重量％未満の常温で液状のオイル１種以上と、溶解度が４０重量％以上の常温で液状のオイル１種以上からなる請求項１記載のクレンジング組成物。
【請求項３】
水に任意の割合で溶解する常温で液状のアルキレングリコール及び／またはポリアルキレングリコールからなる群より選ばれた１種以上に対し１０重量％未満の溶解度をしめす常温で液状のオイル１種以上が溶解度以上の比率で配合され、そのオイルを可溶化するために、溶解度が４０重量％以上の常温で液状のオイル１種以上を必要最低限度に配合されている請求項１から２記載のクレンジング組成物。
【請求項４】
常温で液状のオイル２種以上がクレンジング組成物中に５重量％から６０重量％配合されている請求項１から３記載のクレンジング組成物。
【発明の詳細な説明】
【０００１】
【発明の属する技術分野】本発明は、落ちにくい汚れを落とし肌荒れをしづらいクレンジング組成物に関する。
【０００２】
【従来の技術】従来、クレンジング効果のある化粧料としては、石鹸、クレンジングクリーム、クレンジングフォーム、クレンジングオイル、クレンジングローション等がある。
アルキレングリコールやポリアルキレングリコールを必須成分とした特許として、特開平９−４８７０６や特開平９−２５５５２０、特開平１０−８７４３２が開示されている。しかし、油脂の分散物になり保存安定性に問題があったり、界面活性剤により化粧料を除去することにより、肌荒れを防ぐことやクレンジング性がものたらなかったりした。
【０００３】
【発明が解決しようとする課題】近年は、耐水性のあるメイクアップ化粧料やサンスクリーン剤が市販され、肌荒れしづらいマイルドなクレンジング料では落としきれないという問題が生じてきた。
【０００４】
さらに完全に落とそうとすると皮膚への負担が大きくなり、肌荒れ等皮膚トラブルを生じるといった問題があった。
【０００５】
本発明者は、常温で液状のオイル２種以上と、水に任意の割合で溶解する常温で液状のアルキレングリコール及び／またはポリアルキレングリコールからなる群より選ばれた１種以上との特定の組み合わせが、活性剤を使用しないで、または極力減らして肌荒れ等皮膚トラブルを生じさせず、化粧汚れを落とすことを見出し本発明を完成するに至った。
【０００６】
【課題を解決するための手段】すなわち、常温で液状のオイル２種以上と、水に任意に溶解する常温で液状のアルキレングリコール及び／またはポリアルキレングリコールからなる群より選ばれた１種以上とを配合することを特徴とする透明なクレンジング組成物を提供するものである。以下、本発明を詳細に説明する。
【０００７】
本発明で用いる水に任意の割合で溶解する常温で液状のアルキレングリコール及び／またはポリアルキレングリコールとしては、化粧料で通常用いられるアルキレングリコール及び／またはポリアルキレングリコールであれば特に限定を受けずにもちいることができる。このような成分としては、エチレングリコール、ポリエチレングリコール、プロピレングリコール、ジプロピレングリコール、ブチレングリコール、ペンタンジオール、ヘキシレングリコール等がある。
【０００８】
本発明で配合されるアルキレングリコール及び／またはポリアルキレングリコールは、４０から９５重量％が好ましく、５０から８５重量％がより好ましく、５５から８０重量％が更に好ましい。
【０００９】
常温液状のオイルは、化粧料で通常用いられるものであれば特に限定を受けずに用いることができる。このような成分として、脂肪族炭化水素、芳香族炭化水素、エステル油、グリセライド、脂肪族アルコール、芳香族アルコール、鎖状シリコーン、環状シリコーン等がある。
【００１０】
本発明で配合される常温液状のオイルは、５から６０重量％が好ましく、１５から５０重量％がより好ましく、２０から４５重量％が更に好ましい。
【００１１】
本発明で用いられる常温液状のオイルの１種は、水に任意の割合で溶解する常温で液状のアルキレングリコール及び／またはポリアルキレングリコールの１種以上に対し、溶解度が１０重量％未満が好ましく、５重量％未満がより好ましい。他のオイルの１種は、水に任意の割合で溶解するアルキレングリコール及び／またはポリアルキレングリコールの１種以上に対し、溶解度が４０重量％以上が好ましく、５０重量％以上がより好ましい。
【００１２】
更に本発明のクレンジング組成物では、通常化粧料で用いられる任意の成分を、本発明の効果を損ねない範囲において含有することができる。任意の成分としては、防腐剤、紫外線吸収剤、抽出液成分、エタノール、ノニオン活性剤、アニオン活性剤、タンパク誘導体、酸化防止剤、キレート剤、増粘剤、抗酸化剤、色素、香料、紛体等が挙げられる。
【００１３】
以下に例を挙げて発明を詳細に説明するが、本発明はこれらの例に限定されるものではない。
【実施例】
各成分を混合調整したサンプルについて、外観そしてなじみ、化粧料の落ち、使用感及び肌トラブルについて官能評価をおこなった。評価は非常に良い◎、良い○、やや悪い△、悪い×の４段階でおこなった。
【表１】
2004269404.tif 000002
【表２】
2004269404.tif 000003
【表３】各グリコールに対する液状オイルの溶解度
2004269404.tif 000004
(57)【要約】【課題】  α−メチルスチレン及び水素を銅系触媒充填層に通過させ、その後パラジウム系触媒充填層に通過させるα−メチルスチレンを水添するクメンの製造方法であって、核水添反応を低減し、クメンの収率を改善するという優れた効果を有するクメンの製造方法を提供する。【解決手段】  α−メチルスチレン及び水素をパラジウム系触媒充填層に通過させ、その後銅系触媒充填層に通過させるα−メチルスチレンを水添するクメンの製造方法であって、パラジウム系触媒充填層の入口におけるＨ／Ｓ比が０．５以上１未満であり、銅系触媒充填層の入口におけるＨ／Ｓ比が１以上であるクメンの製造方法。  ただし、Ｈ／Ｓ比とは水素とα−メチルスチレンのモル比［（水素（モル）／α−メチルスチレン（モル））である。【選択図】      なし【特許請求の範囲】
【請求項１】
α−メチルスチレン及び水素をパラジウム系触媒充填層に通過させ、その後銅系触媒充填層に通過させるα−メチルスチレンを水添するクメンの製造方法であって、パラジウム系触媒充填層の入口におけるＨ／Ｓ比が０．５以上１未満であり、銅系触媒充填層の入口におけるＨ／Ｓ比が１以上であるクメンの製造方法。
ただし、Ｈ／Ｓ比とは水素とα−メチルスチレンのモル比［（水素（モル）／α−メチルスチレン（モル））である。
【発明の詳細な説明】
【技術分野】
【０００１】
本発明は、クメンの製造方法に関するものである。更に詳しくは、本発明は、α−メチルスチレン及び水素をパラジウム系触媒充填層に通過させ、その後銅系触媒充填層に通過させるα−メチルスチレンを水添するクメンの製造方法であって、核水添反応を低減し、クメンの収率を改善するという優れた効果を有するクメンの製造方法に関するものである。
【背景技術】
【０００２】
銅触媒の存在下、クミルアルコールを水素化分解してクメンを得る方法、α―メチルスチレンを水添してクメンを得る方法は公知である（たとえば、特許文献１参照。）。しかしながら、従来の方法においては、核水添反応が進行し、クメンの収率が低下するという問題点があった。
【０００３】
【特許文献１】旧東ドイツ特許第１０２６８９号公報
【発明の開示】
【発明が解決しようとする課題】
【０００４】
かかる状況において、本発明が解決しようとする課題は、α−メチルスチレン及び水素を銅系触媒充填層に通過させ、その後パラジウム系触媒充填層に通過させるα−メチルスチレンを水添するクメンの製造方法であって、核水添反応を低減し、クメンの収率を改善するという優れた効果を有するクメンの製造方法を提供する点にある。
【課題を解決するための手段】
【０００５】
すなわち、本発明は、α−メチルスチレン及び水素をパラジウム系触媒充填層に通過させ、その後銅系触媒充填層に通過させるα−メチルスチレンを水添するクメンの製造方法であって、パラジウム系触媒充填層の入口におけるＨ／Ｓ比が０．５以上１未満であり、銅系触媒充填層の入口におけるＨ／Ｓ比が１以上であるクメンの製造方法に係るものである。
ただし、Ｈ／Ｓ比とは水素とα−メチルスチレンのモル比［（水素（モル）／α−メチルスチレン（モル））である。
【発明の効果】
【０００６】
本発明により、α−メチルスチレン及び水素を銅系触媒充填層に通過させ、その後パラジウム系触媒充填層に通過させるα−メチルスチレンを水添するクメンの製造方法であって、核水添反応を低減し、クメンの収率を改善するという優れた効果を有するクメンの製造方法を提供することができる。
【発明を実施するための最良の形態】
【０００７】
銅触媒としては、銅、ラネー銅、銅・クロム、銅・亜鉛、銅・クロム・亜鉛、銅・シリカ、銅・アルミナ等があげられる。
【０００８】
パラジウム触媒としては、パラジウム・アルミナ、パラジウム・シリカ、パラジウム・カーボン等があげられる。
【０００９】
本発明においては、α−メチルスチレン及び水素をパラジウム系触媒充填層に通過させ、その後銅系触媒充填層に通過させる。
【００１０】
充填層としては、コストの観点から考えると、脱水触媒と水添触媒は多段のリアクターとすることなく、単一の固定床反応器に充填されていることが好ましい。反応器の中は幾つかのベッドに別れていてもよく、または別れていなくてもよい。別れていない場合、脱水触媒と水添触媒は直接接触させてもよいが、イナートな充填物で仕切りをつけてもかまわない。
【００１１】
パラジウム系触媒充填層の入口におけるＨ／Ｓ比は０．５以上であり、好ましくは０．７以上である。該該Ｈ／Ｓ比が過小であると反応速度が低下する。核水添反応の抑制の観点から該Ｈ／Ｓ比は０．９以下であることが好ましい。
【００１２】
銅系触媒充填層の入口におけるＨ／Ｓ比は１以上であり、好ましくは１０以上である。該Ｈ／Ｓ比が過小であると水添反応の進行が完全に進行せず、未反応のα−メチルスチレンが出口から留出する。反応圧力の極端な上昇抑制の観点から該Ｈ／Ｓ比は２０以下であることが好ましい。
【００１３】
上記の条件を満たすためには、パラジウム触媒出口と銅触媒の入口間で新たに水素をフィードする必要があるが、これは反応容器の外からフィードしてもよいし、また系中で水素を発生させ、これを用いてもよい。例としては、銅触媒の入口にスパージャーを設け、外部から水素を供給する方法が挙げられる。
【実施例】
【００１４】
次に、本発明を実施例により説明する。
【００１５】
実施例１
反応圧力１．４ＭＰａＧにおいて、パラジウム／アルミナを充填した固定床流通反応容器にα−メチルスチレン１４．１ｗｔ％を含むクメン溶液と水素を平均２１０℃、ＬＨＳＶ＝２．４ｈ−１で流通させた。この時の水素とα−メチルスチレンのモル比（Ｈ／Ｓ比）は０．９であった。触媒活性が安定化した後サンプリングを行い、反応を評価した。結果を表１に示した。
【００１６】
実施例２
反応圧力１．４ＭＰａＧにおいて、銅／シリカを充填した固定床流通反応容器にα−メチルスチレン１．５ｗｔ％を含むクメン溶液と水素を入口２３０℃、ＬＨＳＶ＝３ｈ−１で流通させた。この時のＨ／Ｓ比は８であった。触媒活性が安定化した後サンプリングを行い、反応を評価した。結果を表１に示した。
【００１７】
比較例１
Ｈ／Ｓ比が２．３となるように水素のフィード量を調整した以外は、実施例１と同様の方法で実施した。結果を表１に示した。
【００１８】
比較例２
Ｈ／Ｓ比が１．２となるように水素のフィード量を調整した以外は、実施例１と同様の方法で実施した。結果を表１に示した。
【００１９】
【表１】
2004269504.tif 000002
【００２０】
入口ＡＭＳ：反応器入口におけるクメン溶液中のα―メチルスチレンの濃度
出口ＡＭＳ：反応器出口におけるクメン溶液中のα―メチルスチレンの濃度
核水添物転化率：反応器内で生成したイソプロピルシクロヘキサンの量（ｍｏｌ）／消費したα―メチルスチレンの量（ｍｏｌ）×１００
(57)【要約】【課題】面倒な木枠梱包を必要とせず、また特殊な台車を用いることなく多数の製品を簡便に段積みし得る、移動式キャスター付き機器の多段積重ね方法および介装用の座具を提供する。【解決手段】底面に複数個の移動用キャスター２を配設し上面に吊具３を付設してなる複数台の移動用キャスター付き機器１が、上面に移動用キャスター嵌入用の陥部５を設けると共に下面に吊具嵌入用の陥部６を設けてなる座具４の介装により、下方に位置する機器１の吊具３が座具４の下面における陥部６に嵌入されると共に上方に位置する機器１のキャスター２が座具４の上面における陥部５に嵌入された態様において、複数台を多段状に積重ねる。【選択図】        図１
2004269212.tif 000002
【特許請求の範囲】
【請求項１】
底面に複数個の移動用キャスターを配設し上面に吊具を付設してなる複数台の移動用キャスター付き機器が、上面に移動用キャスター嵌入用の陥部を設けると共に下面に吊具嵌入用の陥部を設けてなる座具の介装により、下方に位置する機器の吊具が座具の下面における陥部に嵌入されると共に上方に位置する機器のキャスターが座具の上面における陥部に嵌入された態様において、複数台が多段状に積重ねられることを特徴とする、移動用キャスター付き機器の多段積重ね方法。
【請求項２】
複数台が多段状に積層される移動用キャスター付き機器の積層間に介装される座具であって、上方に位置する機器における移動用キャスター嵌入用の陥部を上面に設けると共に下方に位置する機器における吊具嵌入用の陥部を下面に設けたことを特徴とする介装用の座具。
【発明の詳細な説明】
【０００１】
【発明の技術分野】
本発明は、例えば移動式の高圧洗浄機など、移動用キャスター付き機器の多段積重ね方法および介装用座具に関するものである。
【０００２】
【従来の技術】
移動式の機器類では製品の段積保管する際に、移動用キャスターの存在が障碍となって座りが悪いため、製品毎に木枠梱包して段積保管することが一般に行われている。しかし梱包作業の煩雑さと、それに要するコストは看過できないものがあり、且つ、梱包解体後における梱包資材の廃棄は、省資源の時代要請を背反するものである。このような梱包を省略する手段として、特殊な制動機構付きの台車を多数用意しておき、チェーンブロック等を用いて製品を荷積みした台車の上に、他の台車を載せてその荷重により下方の台車のキャスターを制動するという、段積み可能台車の使用が提案されている（例えば、特許文献１参照）。
【０００３】
【特許文献１】
特開２０００−１５３７６２号公報  （第４図）
【０００４】
【発明が解決しょうとする課題】
しかし量産された製品を特許文献１のような手段によって段積保管するためには多数の台車が必要で、且つ台車自体が特殊な構造で高価なものとなり、また、不使用時における多数の台車を保管するための広い収容スペースが確保されていなければならず、結局は製品コストを押し上げる要因となる。
【０００５】
本発明の目的は、面倒な木枠梱包を必要とせず、また特殊な台車を用いることなく多数の製品を簡便に段積みし得る、移動式キャスター付き機器の多段積重ね方法および介装用の座具を提供することにある。
【０００６】
【問題を解決するための手段】
本発明に係る移動用キャスター付き機器の多段積重ね方法は、底面に複数個の移動用キャスターを配設し上面に吊具を付設してなる複数台の移動用キャスター付き機器が、上面に移動用キャスター嵌入用の陥部を設けると共に下面に吊具嵌入用の陥部を設けてなる座具の介装により、下方に位置する機器の吊具が座具の下面における陥部に嵌入されると共に上方に位置する機器のキャスターが座具の上面における陥部に嵌入された態様において、複数台を多段状に積重ねる。また、本発明に係る介装用の座具は、上方に位置する機器における移動用キャスター嵌入用の陥部を上面に設けると共に下方に位置する機器における吊具嵌入用の陥部を下面に設けた。
【０００７】
【発明の実施の態様】
以下の図１ないし図３の実施例により説明をする。
【０００８】
１は移動用キャスター付き機器、２・・２は該機器の底面に配設された移動用キャスター、３・・３は上面に付設されたアイボルト等の吊具であり、チェーンブロック等よって機器１を吊り上げ吊り降すために供せられる。４・・４は多段状に積層される移動用キャスター付き機器１・・１の積層間に介装される座具であり、上方に位置する機器１における移動用キャスター嵌入用の陥部５を上面に設けると共に下方に位置する機器１における吊具嵌入用の陥部６が下面に設けられている。
【０００９】
そして下方に位置する機器１の吊具３・・３が座具４・・４の下面における陥部６・・６に嵌入される共に上方に位置する機器１のキャスター２・・２が座具４・・４の上面における陥部５・・５に嵌入された態様において、複数台の機器１・・１を多段状に積重ねる。
【００１０】
【発明の効果】
本発明によれば、面倒な木枠梱包を必要とせず省資源の時代要請に合致し、また、特殊な台車を用いることなく多数のキャスター付き機器を簡便に段積みすることができ、台車の保管スペースも不要となるという利点がある。
【図面の簡単な説明】
【図１】本発明方法による移動用キャスター付き機器の多段積重ね態様を示した側面図である。
【図２】本発明に係る介装用座具の側面図である。
【図３】本発明に係る介装用座具の平面図である。
【符号の説明】
１      移動用キャスター付き機器
２      移動用キャスター
３      吊具
４      座具
５      移動用キャスター嵌入用陥部
６      吊具嵌入用陥部
【図１】
2004269212.tif 000003
【図２】
2004269212.tif 000004
【図３】
2004269212.tif 000005
(57)【要約】【課題】純度が高く且つ再生製品に充分な強度を付与することができる廃石膏ボードからの再生石膏の製造方法を提供する。【解決手段】廃石膏ボード１を破砕機２に投入し粉砕する（Ａ）。粉砕された廃石膏ボード粉はスクリューコンベア３によりロータリーキルン炉６の受入ホッパー４に投入する。受入ホッパー４に投入された廃石膏ボード粉は、スクリューフィーダー５により順次ロータリーキルン炉６内に投入されバーナー７により加熱されて石膏ボードに含まれる夾雑物（イグロス）を焼成分離すると共に石膏分が乾燥される（Ｂ）。その際、灰化した夾雑物（イグロス）をサイクロンフィルター９にて集塵除去する（Ｃ）。次いで、上記工程で得られた精練石膏１０にバージン石膏１１及びアルミナセメント１２を混合して再生石膏１３を得る（Ｄ）。【選択図】  図１
2004269299.tif 000002
【特許請求の範囲】
【請求項１】
廃石膏ボードを粉砕する工程と、粉砕された廃石膏ボード粉を加熱して石膏ボードに含まれる夾雑物（イグロス）を焼成分離すると共に石膏分を乾燥して精練石膏を得る工程と、得られた精練石膏にバージン石膏を混合する工程とを含むことを特徴とする廃石膏ボードからの再生石膏の製造方法。
【請求項２】
アルミナセメントを混合する工程を含むことを特徴とする請求項１記載の廃石膏ボードからの再生石膏の製造方法。
【発明の詳細な説明】
【０００１】
【発明の属する技術分野】
本発明は、建築廃材の石膏ボードのリサイクルに関し、廃石膏ボードから石膏分のみを精練して再生石膏を得る再生石膏の製造方法に関するものである。
【０００２】
【従来の技術】
従来、建築廃材の石膏ボードは廃棄物として埋設処理するか、粉砕した後、外装紙等の夾雑物（イグロス）を篩にかけて可能な限り除去し廃石膏を再利用している。（例えば、特許文献１参照。）。
【０００３】
【特許文献１】
特開２００２−２５４０３２号公報（第２−３頁、第２図）
【０００４】
【発明が解決しようとする課題】
しかしながら、廃石膏の中には篩にかけただけでは分離できない接着成分等が含まれており、例えば、運動競技場で使用されるマーキング用の石膏等のように、その用途が限られていた。すなわち、従来の方法で得られた石膏分は純度が低く十分な強度が得られず、再度、石膏ボード等の建築用資材としての利用は不可能であった。本発明は上記従来の課題に鑑み、純度が高く且つ再生製品に充分な強度を付与することができる廃石膏ボードからの再生石膏の製造方法を提供することを目的とするものである。
【０００５】
【課題を解決するための手段】
このため、本発明の廃石膏ボードからの再生石膏の製造方法は、廃石膏ボードを粉砕する工程と、粉砕された廃石膏ボード粉を加熱して石膏ボードに含まれる夾雑物（イグロス）を焼成分離すると共に石膏分を乾燥して精練石膏を得る工程と、得られた精練石膏にバージン石膏を混合する工程とを含むことを第１の特徴とする。また、アルミナセメントを混合する工程を含むことを第２の特徴とする。
【０００６】
【発明の実施の形態】
次に、本発明の実施の形態を図面に示す実施例に基づいて説明する。
図１は本発明の製造工程図、図２は本発明で使用する精練装置を摸式的に示す側面図である。
【０００７】
【実施例１】
まず、本発明の製造方法を図１及び図２に従って説明する。先ず、廃石膏ボード１を破砕機２に投入し粉砕する（Ａ）。ここで、破砕機としては、ロールクラッシャー、インパクトクラッシャー、ボールミル等が使用できる。粉砕された廃石膏ボード粉はスクリューコンベア３によりロータリーキルン炉６の投入ホッパー４から投入される。投入ホッパー４から投入された廃石膏ボード粉は、スクリューフィーダー５により順次ロータリーキルン炉６内に搬送され、バーナー７により加熱されて石膏ボードに含まれる夾雑物（イグロス）を焼成分離すると共に石膏分が乾燥される（Ｂ）。ここで、廃石膏ボード粉は約５００℃程度で万遍なく攪拌焼成され、主に紙材と接着剤とからなる外装材の夾雑物（イグロス）は完全に灰化される。灰になった夾雑物（イグロス）は排気煙突８を介して集塵機であるサイクロンフィルター９にて集塵除去される（Ｃ）。これにより夾雑物（イグロス）を含まない極めて純度の高い精練石膏１０が得られる。最後に上記工程で得られた精練石膏１０にバージン石膏１１及びアルミナセメント１２を混合することで本発明の再生石膏１３を得ることができる（Ｄ）。
【０００８】
得られた再生石膏１３を使用して直方体形の試験体（幅６３ｍｍ×長さ２００ｍｍ×高さ１００ｍｍ）を作成し耐圧試験を行なった。精練石膏を８５％バージン石膏を１５％混合したものでは、破砕荷重が２４．２ｋＮ（質量１５７８．４ｇ）で、耐圧強度１．９２Ｎ／ｍｍ２であった。精練石膏を７０％バージン石膏を１５％及びアルミナセメントを１５％混合したものでは、破砕荷重が３４．６ｋＮ（質量１５８２．１ｇ）で、耐圧強度２．５７Ｎ／ｍｍ２であった。この実験結果よりアルミナセメントを混合した再生石膏を使用した再生製品はバージン石膏のみを混合したのもに比して約１．３倍の強度を示すことが判った。
【０００９】
図１に示すように、上記製造工程により得られた再生石膏１３を使用し、これに混水して型入れ養生固化し成形する（Ｅ）工程により、建築用資材として十分な強度を持つブロックや花卉用プランター等の固化再生製品１４を製造することができる。尚、それ程強度を要しない成形品の場合や、例えば中性固化剤等として使用する場合はアルミナセメントの添加は不要であり、バージン石膏のみを加えればよい。また、精練石膏１０の状態でも肥料としての再利用が可能である。
【００１０】
【発明の効果】
以上、本発明によれば、廃石膏ボードから純度が高く且つ再生製品に充分な強度を付与することができる再生石膏を得ることができる。
【図面の簡単な説明】
【図１】本発明の製造工程図である。
【図２】本発明で使用する精練装置を摸式的に示す側面図である。
【符号の説明】
１      石膏ボード廃材
２      破砕機
３      スクリューコンベア
４      投入ホッパー
５      スクリューフィーダー
６      ロータリーキルン炉
７      バーナー
８      排気煙突
９      サイクロンフィルター（集塵機）
１０    精練石膏
１１    バージン石膏
１２    アルミナセメント
１３    再生石膏
１４    ブロック・プランター等の再生品
【図１】
2004269299.tif 000003
【図２】
2004269299.tif 000004
(57)【要約】      （修正有）【課題】子供から高齢者まで、安全、簡単、綺麗、そして、ワンタッチでオープンでき、安心して、より多く使用でき又使用後パックの中を洗浄して、そのパックのセンターの罫線（折畳線）上に折り込んで、コンパクトに折り畳め、リサイクルに出すことも可能なシンプル安全パックを提供する。【解決手段】シンプル安全パック５を開封取っ手７を左右に開けるだけで、三角安全注ぎ口（手前出し）３が自然に手前（三角状）に出てくるようにして、誰もが、簡単、安全、綺麗、スムースに取り扱い出来るようにした。【選択図】図２
2004269057.tif 000002
【特許請求の範囲】
【請求項１】
このシンプル安全パック  ５）の開封取っ手（左右）  ７）を左右に開ける事により、開け口（内側左右）  １）が開き、従ってワンタッチで三角安全注ぎ口（手前出し）３）が三角状で前面に口が開き、安全、簡単、綺麗、スムースに、子供から高齢者まで、気軽に使用可能で、２回目以降の使用する場合、三角安全注ぎ口（前出し）３）を、パックの中心（三角状）に折り込んで、安全、綺麗に、常時使用していただきたい。
【発明の詳細な説明】
【発明の詳細な説明】
【技術分野】
【０００１】    この発明は、シンプル安全パックの大小パックに拘わらず、利用者に配慮（子供から  高齢者まで）し、安全、簡単、綺麗、よりスムースに、ワンタッチで取り扱いが可能な  方法にした物である。
【背景技術】
【０００２】    従来のパックは、内側のボール紙（三角状）の接着部分を左右に剥がして、開いた処  で、バックを握り押さえながら、左右に剥がして、注ぎ口（三角状）を開ける訳ですが  、子供や高齢者等に取っては、パックを握り押さえながら、安全に、綺麗に、剥がすこ  とが難しく、配慮に掛けていると思う。
【発明が解決しようとする課題】
【０００３】    従来のパックは、内側のボール紙（三角状）と開け口（注ぎ口）を開ける際、力加減  が必要で、特に子供から高齢者等においては、安全、綺麗に剥がすのに、取り扱いが難  しい面がある点を今回解決させる為に、開封取っ手  ７）を左右に開ける事により、三  角安全注ぎ口（手前出し）  ３）の三角口がワンタッチで、自然に手前注ぎ口（三角口  ）が出てくる事により、子供から高齢者まで、安全、簡単、スムースに取り扱いが出来  るように課題を克服させた。
【課題を解決しょうとする手段】
【０００４】    シンプル安全パック  ５）を安全、簡単、綺麗、そしてよりスムースに、子供から高  齢者と誰しもが、安心して、三角安全注ぎ口（手前出し）  ３）を付加させた事により  使用方法に工夫させた解決手段である。
【発明を実施するための最良の形態】
【０００５】    以下、本発明の実施の形態について、説明する。
シンプル安全パック  ５）は、図  ２）、図  ３）の開封取っ手  ７）を左右に開け  ることにより、三角安全注ぎ口（手前出し）  ３）が、自然に、注ぎ口（三角状）が手  前に出ることにより、子供から高齢者までが気軽に、安全、簡単、綺麗、そしてスムー  スに注ぎ口（三角状）から安心して取り扱い安くした形態にした。
本発明は、以上のような構成であるから、シンプル安全パック  ５）は、安全、簡単  、綺麗にそしてスムースに子供から高齢者までが、安心して取り扱い作用が付与する。  尚、使用後、パック内を洗浄して、罫線（折畳線）  ４）に沿って、シンプル安全パッ  ク  ５）のセンターを押し込んで、図５）の状態に、コンパクトに折り畳んで、リサイ  クルに循環、応用させると、いつそう良い。
【発明の効果】
【０００６】    本発明を使用する事によって、シンプル安全パック  ５）は、子供から高齢者まで、  安全、簡単、綺麗そして、よりスムースに、ワンタッチで使用していただく事により、  誰もが安心して取り扱い効果があることが生かされる。
【図面の簡単な説明】
【図１】      シンプル安全パックの三角安全注ぎ口（手前出し）縦断面図である。
【図２】      シンプル安全パックの実施例を示す三角安全注ぎ口（手前出し）斜断面図である。
【図３】      シンプル安全パックの実施例を示す三角安全注ぎ口（手前出し）縦断面図である。
【図４】      シンプル安全パックの実施例を示す全体断面図である。
【図５】      シンプル安全パックの罫線（折畳線）パック全体縦断面図である。
【符号の説明】
（１）  開け口（内側左右）
（２）  内側ボール紙（接着）
（３）  三角安全注ぎ口（手前出し）
（４）  罫線（折畳線）
（５）  シンプル安全パック
（６）  外側ボール紙
（７）  開封取っ手（左右）
（８）  ボール紙底
【図１】
2004269057.tif 000003
【図２】
2004269057.tif 000004
【図３】
2004269057.tif 000005
【図４】
2004269057.tif 000006
【図５】
2004269057.tif 000007
(57)【要約】［課題］冷温のまま、別の場所へある時間で運びたい物があるとき、時間が長いと温まったり、解けたり、その他不具合が生じることがあるため、磁力によって接点を完全に無くした上で真空断熱できる保冷器具を提供する。［解決手段］磁力等により、外側容器と内側容器との隙間の接点を完全に無くし、吸気装置で隙間の空気を排気して真空断熱することにより、内側容器の中の運搬物を保冷しながら運搬する。【選択図】        図１
2004269039.tif 000002
【特許請求の範囲】
【請求項１】
磁力等により、外側容器と内側容器との接点を完全に無くした、真空断熱の保冷器具。
【発明の詳細な説明】
【０００１】
［発明の属する技術分野］
本発明は高い保冷機能を持続させるため、磁力等により、外側容器と内側容器との接点を完全に無くし、吸気装置において高度の亜真空状態にした保冷器具である。
【０００２】
［従来の技術］
従来はクーラーボックスや魔法瓶等の断熱素材や一部に真空室を使った物において固体や飲料を保冷且つ運搬していた。
【０００３】
［発明が解決しようとする課題］
これら従来の物では長時間使用していると、冷やしておきたい物が温まったり、解けたりすることがあった。本発明はこの課題を解消するためになされたものである。
【０００４】
［課題を解決するための手段］
磁石の同極が外側容器の内面と内側容器の外面のそれぞれ相面する壁に、同じ位置にくるように固着し、内側容器を宙に浮かすことで外側容器との接点を完全に無くし、蓋を閉じてから吸気装置において高度の亜真空状態にすることで内側容器の中（収納庫）の運搬物を外界から断熱する。
ようにした。
【０００５】
［発明の実施の形態］
以下、本発明の実施の形態について説明する。
（イ）外側容器（１）の内面の底板（１３）と壁板（１４）と天井部分（１５）に棒磁石（１１）を複数個、それぞれ同じ向きで固着し、
（ロ）内側容器（２）にも同様に外側容器の磁石と鏡対する形でその外面に反発できる位置と数で棒磁石を固着する。
（ハ）外側容器の中で内側容器を宙に浮かす。
本発明は以上のような構造でこれを使用するときは、それぞれの蓋（３）、（４）を閉じた上で、外側容器と内側容器の間の空気を吸気装置で抜き、高度の亜真空状態にしたところで、内側容器の中（収納庫）の運搬物を高い保冷機能において運搬する。
【０００６】
［発明の効果］
外側容器と内側容器との接点を全く無くしたことで、断熱効果が従来のものよりも更に高まった。  それにより、運搬物の運搬可能な時間、距離、運搬物の種類等が拡大されることとなった。
【図面の簡単な説明】
【図１】本発明の部分断面斜視図である。
【図２】本発明の長手方向の断面図である。
【符号の説明】
１  外側容器
２  内側容器
３  外側容器の蓋
４  内側容器の蓋
５  吸気装置室
６  吸気装置
７  ボルト嵌板
８  六角ボルト
９  止め金具
１０  排気孔
１１  永久磁石（棒磁石）
１２  真空室
１３  底板
１４  壁板
１５  天井板
１６  内側容器の底板
１７  内側容器の壁板
１８  内側容器の天井板
１９  提手
２０  内側容器の中（収納庫）
２１  固定ナット
【図１】
2004269039.tif 000003
【図２】
2004269039.tif 000004
(57)【要約】【課題】複数の飲料容器に使用することが出来る、着脱簡単なグリップラバー及び、飲料容器カバーを提供する。【解決手段】グリップラバー及び、飲料容器カバーの形状を立体から平面にすることで、色々な形に馴染むものであり、それぞれを単独使用することで清潔に使用でき、ラバーの変形をも抑えることを可能にしたものである。【選択図】図１
2004269043.tif 000002
【特許請求の範囲】
【請求項１】
ラバーをテープ状にし、巻き付け使用するための形状。
【請求項２】
巻き付け固定の始点（支点）を全体部分（外周部分）より細くし、ラバー固定および、密着をより安定させる手法。
【請求項３】
グリップラバーに連結することが出来る、飲料容器用カバーを付けた形式。
【発明の詳細な説明】
【０００１】
【発明の属する技術分野】本発明は、コップや哺乳瓶、水筒、ペットボトルなど飲料容器を持ち上げた時に起こる、滑りを無くすために用いる、グリップ用のラバー及び、飲料容器を保護するカバーケースに関する。
【０００２】
【従来の技術】水筒に関しては、円筒形のラバーを水筒の外周に装着されているものがあり、飲料容器用カバーに関しては、水筒などに形状を合わせた立体ケースがある。
【０００３】
【発明が解決しようとする課題】しかし、水筒など洗浄が必要なものに関しては、円筒形のラバーを装着してある場合、洗浄の度の取り付け取り外しが面倒で、また、これを繰り返すことによりラバーが変形し密着しなくなる。ラバーの変形を避けるため取り外さずに洗浄を行うと、水筒とラバーとの間が不潔になりやすく、不衛生である。カバーケースに関しても立体のものは、洗濯する時に内部が乾き難く、型崩れをしないように気を使うものである。
【０００４】また、水筒に用いられた円筒形のラバー及びカバーケースは、装着された製品にのみ使用できるものであり、他に用途のないものである。
【０００５】
【課題を解決するための手段】本発明は、請求項１に示すところの、ラバーをテープ状にし、巻き付け使用することで取り付け取り外しを簡単にし、ラバーの変形を予防すると伴に、ラバーを飲料容器より切り離すことにより、別々に洗浄することを可能にしたものである。また、ラバーは柔軟性があるため、巻き付け使用することで色々な形状に馴染みやすく、複数の製品に対応できるものとして飲料容器用グリップラバーを提案するものである。専用カバーに関しても連結して使用するものであるが、巻き付けて使用するものなのでグリップラバーと同様に、複数の製品に対応できるものであると伴に、形状を単純な平面にすることで袋やケースの役割以外にも、タオルなどの代わりにもなる。
【０００６】
【発明の実施の形態】以下、図面に沿って説明する。図１が柔軟性のあるゴムや塩化ビニール樹脂などを用いた、飲料容器用グリップラバーの表面図である。１の部分がグリップ部分になるため、しわが出来ないように張った状態のまま、４（６）の部分を持ち、２の示す部分を飲料容器（コップや哺乳瓶など）の持つ部分になる所の中心に当て巻き始め、１の部分全体を飲料容器に密着させるようにし、外周に沿わせ巻き付けていく。６（４）の部分が３の部分に来るようにし、使用中のラバーのずれや剥がれを防ぐことを目的とし設けてある、マジック面ファスナーでしっかり合わせ固定する。以上の手順で飲料容器用グリップラバーの装着を完成させた場合、２の部分の上からラバー１のグリップ部分を重ねることになるが、請求項２で示したように、本発明は、２の部分の形状を用いることでラバー同士の重なりを減らし、ラバーのずれを防ぐとともに、飲料容器を持つ時に加わる力により、飲料容器とラバーとの密着をより良くするためのものである。請求項３で示す飲料容器用のカバーを使用する場合、完成したグリップラバーの上になる図１の４部分と図３の示す８の部分をしっかり合わせ連結し、グリップラバーと同じ要領での飲料容器の保護部分である７の部分を外周に巻いて行き、１０の部分が９の部分にきた所でしっかり合わせ固定、１１ａと１１ｂの部分に内蔵された紐または、リボンを１２．ａと１２ｂの部分よりそれぞれ引きだし絞り、袋状にする。また、７部分の素材、色や柄を変えることで、色々な製品を作り出せるものである。
【０００７】
【実施例】ガラスや陶器のコップに使用した場合、滑りをなくし安定するため持ちやすく、コップを落とすことを防ぐ目的として使えるものであり、また、飲料の温度によって容器が持ちにくくなることがあるが、これを緩和できるものとして子供や高齢者用に、本発明を提案するものである。
【０００８】
【発明の効果】本発明は、飲料容器とラバーを完全に切り離すことにより清潔に使用することを提案するものであり、このことから哺乳瓶に対しても使用することが出来る。哺乳瓶は、乳児の授乳や水分補給に使用するものであるため、テーブルの上など安定した場所に置けない時もあり、また、哺乳瓶のスタイル上、安定した場所に置いても倒れることが多く転がったりすることもある。その場合、本発明を使用することで、誤って倒れた場合にグリップ部分がクッションとなりラバーの作用で転がりを防ぐことができる。また、飲料容器のカバー部分の素材を、タオル地やガーゼなどを用いることで、前掛けにもなり外出などの携帯用として便利なものであり、乳児や子供用以外にもアウトドア、スポーツなどのときにも対応できるものである。
【０００９】本発明は請求項１に示したように、ラバーを巻き付けて使用するため、容器の形状が変化した場合の他、ラバーのサイズを変えることにより使用範囲が広がるものであり、取り外す場合においても図２の５が示す補強用布部分に吸着力がないため、無駄な力を加えることなく取り外すことが出来、ラバーの変形を防ぐものである。
【００１０】飲料容器カバーにおいても、グリップラバーと切り離して単独の使用も可能なものであり、洗濯においても単独で行え、形状が単純なため扱いも簡単で便利なものとして本発明を提供するものである。
【図面の簡単な説明】
【図１】本発明、グリップラバーの表面図である。
【図２】本発明、グリップラバーの裏面図である。
【図３】本発明、連結用飲料容器カバーの表面図である。
【図４】グリップラバーの使用例。
【図５】飲料容器カバーの使用例。
【符号の説明】
１．ラバーを巻き付けた後グリップになる部分。
２．グリップラバーの始点（支点）部分。
３．マジック面ファスナーの凹部分。
４．マジック面ファスナーの凹部分。
５．３のマジック面ファスナーの補強用布部分。
６．マジック面ファスナー凸部分。
７．飲料容器カバーの本体部分。
８．マジック面ファスナー凸部分。
９．マジック面ファスナー凹部分。
１０．マジック面ファスナー凸部分。
１１．（ａ．ｂ）紐または、リボンなどを内蔵するバイアステープ。
１２．（ａ．ｂ）紐または、リボンなどの通し口。
【図１】
2004269043.tif 000003
【図２】
2004269043.tif 000004
【図３】
2004269043.tif 000005
【図４】
2004269043.tif 000006
【図５】
2004269043.tif 000007
(57)【要約】【課題】従来の加圧式キャップは、形状がコンパクトでなく、取り外しも手間がかかるだけでなく、加圧にも手間がかかる。その上、使いまわしを前提とし衛生上の問題もある。【解決手段】ペットボトル用のキャップに一体型のポンプを取り付け、空気弁を取り付けることにより、空気が容器の外から中にしか流れないような構造とする。ポンプにはバネが入っていてポンプを押した後、元の状態に戻る。これにより、コンパクトな形状、加圧も親指一本でできる利便性を実現した。【選択図】図１
2004269041.tif 000002
【特許請求の範囲】
【請求項１】
加圧機と一体型となったことを特徴とする容器のキャップ。
【請求項２】
小型ポンプ式加圧機と一体型となった、この加圧機がコンパクトで簡単に取り外しができ、親指一本で加圧可能なことを特徴とする請求項１記載のペットボトルキャップ。
【発明の詳細な説明】
【０００１】
【発明の属する技術分野】
この発明は、ペットボトル等保管容器のキャップの機能および形状に関する。
【０００２】
【従来の技術】
従来のペットボトル等保管容器を加圧させるキャップは、容器内の気圧を高めることにより炭酸防止をするという従来からある発想にもとづいたものであり、特許公開平８−３１８９５９や特許公開平１０−２１８２４９のようなものがある。
【０００３】
【発明が解決しようとする課題】
しかしながら、以上の従来技術によれば、形状がコンパクトでなく、取り外しも手間がかかるだけでなく、加圧にも手間がかかる。その上、使いまわしを前提とし衛生上の問題もある。
そこで、この発明は、形状がコンパクトで、取り外しの手間がかからず、加圧も簡単、その上、衛生的なキャップを提供することを課題とする。
【０００４】
【課題を解決するための手段】
以上の課題を解決するために、請求項１の発明は、加圧機と一体型となったことを特徴とする容器のキャップである。
また、請求項２の発明は、小型ポンプ式加圧機と一体型となった、この加圧機がコンパクトで簡単に取り外しができ、親指一本で加圧可能なことを特徴とする請求項１記載のペットボトルキャップである。
【０００５】
【発明の実施の形態】
この発明の一実施形態を、図１に示す。
図１は、容器がペットボトルであった場合を例示している。
ペットボトルの本体１は、通常、プラスチックやアルミ等の強度のある素材でできている。ペットボトルキャップ本体２のペットボトルと接する部分は、プラスチックやアルミ等の強度のある素材でできていて、ペットボトル本体にしっかり固定でき、空気が漏れることを防止できる。
空気弁３は、空気の流れを容器の外部から内部への一方通行にする機能をもつ。ポンプ４の内部に外部から空気を流し込むものと、ポンプ４の内部から容器内部に流し込む２つがついている。
ポンプ４は、プラスチック製でできており、親指一本でポンプ上部から押せるようになっている。バネ５が押されたポンプをもとの状態に復元する働きをし、そのときに空気弁から空気がポンプ内部に自動的に取り込まれる。
【０００６】
【実施の効果】
この実施形態によれば、ペットボトルキャップは、コンパクトで、簡単に取り外しが可能かつ親指一本で加圧が可能である。この実施形態であれば、ペットボトル等の販売時の標準装備として装着することも可能で、使い捨てにすることも可能と考えられる。したがって、使いまわさず衛生上も問題がなくなる。
【０００７】
【他の実施形態】
図１実施形態は、ペットボトルのキャップで実施していたが、ビン入りジャム容器などその他、加圧をすることにより風味を保つことができるものや、加圧することにより雑菌の繁殖を防ぐことができるなどの効果を発揮できる容器に同様の一体型ポンプをつけたものでも良い。
【０００８】
【発明の効果】
以上説明したように、この発明によれば、形状がコンパクトで、取り外しの手間がかからず、加圧も簡単、その上、衛生的なキャップを提供することが可能となる。
【図面の簡単な説明】
【図１】この発明の一実施形態を示す断面図である。
【図２】この発明の一実施形態を示す斜視図である。
【図１】
2004269041.tif 000003
【図２】
2004269041.tif 000004
(57)【要約】【課題】この発明は、厨ごみ等の一般の家庭から出るごみを入れるごみ袋であって、ごみ袋に従来よりも多くごみが入れられるよう、ごみの収容容量を多くでき、かつ、ごみ袋の閉塞が簡単にでき、しかも、ごみ袋の持ち運びも便利なごみ袋を開発・提供することにある。【解決手段】ごみ袋本体（１）の上端部より下方に向けて、複数本の切り込み（ａ）を設け、ごみ袋本体（１）の上端部と、これら切り込み（ａ）により囲まれた部分をそれぞれ開閉蓋（２）とし、これら開閉蓋（２）、あるいはこれら開閉蓋（２）の下方に、それぞれ開閉蓋を押さえる結び紐（３）をそれぞれ設けたことを特徴とするごみ袋。【選択図】          図１
2004269094.tif 000002
【特許請求の範囲】
【請求項１】
ごみ袋本体（１）の上端部より下方に向けて、複数本の切り込み（ａ）を設け、ごみ袋本体（１）の上端部と、これら切り込み（ａ）により囲まれた部分をそれぞれ開閉蓋（２）とし、これら開閉蓋（２）、あるいはこれら開閉蓋（２）の下方に、それぞれ開閉蓋を押さえる結び紐（３）をそれぞれ設けたことを特徴とするごみ袋。
【発明の詳細な説明】
【０００１】
【発明の属する技術分野】
この発明は、厨ごみ等の主に家庭から排出されるごみを入れるための，ごみ袋の構造に関するものである。
【０００２】
【従来の技術】
従来、ごみ袋は、種々存在するが、ある紙製のごみ袋は、下端部が閉塞され、両側部が内側に折り込まれてマチ部が形成されており、下端に紐が設けられたものがある（例えば、特許文献１参照。）。
【０００３】
【特許文献１】
特開平４−２６７７５２号（第２頁、図１）
【０００４】
しかし、この袋は、袋にマチが設けてあり、ごみが多く収容でき便利であるが、該ごみ袋には、内部にごみを入れ、ごみ袋の上端部付近を絞ると共に、上端部付近をそのひもで縛って閉塞するため、図３に示すように、内部に収納できるごみの容積は６０％程度であり、大変、不都合なものであった。
【０００５】
そのため、ひもは使用せずに、ごみ袋の開口部付近にまで、ごみを詰め、上端を折り曲げて、幅広のガムテープで閉塞して、ごみ置場まで手で抱えて搬出するのが実状であり、煩雑であり、ごみ清掃の作業員も同様であった。
【０００６】
【発明が解決しようとする課題】
そこで、この発明は、ごみ袋に従来よりも多くごみが入れられるよう、ごみの容量を多くでき、かつ、ごみ袋の閉塞や持ち運びも便利なごみ袋を開発・提供することにある。
【０００７】
【課題を解決するための手段】
この発明は、ごみ袋に入れるごみの容量を増やすとともに、ごみ袋の閉塞およびごみ袋の持ち運びに便利なごみ袋の構造である。
【０００８】
【発明の実施の形態】
次に、この発明の一実施例を図面に基づいて詳細に説明すると、ごみ袋本体（１）の上端部より下方に向けて、複数本の切り込み（ａ）を設け、ごみ袋本体（１）の上端部と、これら切り込み（ａ）により囲まれた部分をそれぞれ開閉蓋（２）とし、これら開閉蓋（２）、あるいはこれら開閉蓋（２）の下方に、それぞれ開閉蓋を押さえる結び紐（３）をそれぞれ設けたことを特徴とするごみ袋から構成されるものである。
【０００９】
尚、図示したように、ごみ袋本体（１）に装着した結び紐（３）は、通常、４本設けるが、これらの本数に必ずしも限定されることはない。
【００１０】
そして、結び紐（３）の取り付け位置は、図面に示すように、開閉蓋（２）よりやや下方のごみ袋本体（１）に取り付けたものであってもよく、あるいは場合によっては、開閉蓋（２）の部分であってもよく、各開閉蓋（２）の横方向の中央の位置に設けられるのがよい。
【００１１】
また、ごみ袋本体（１）の素材は、紙等であり、結び紐（３）は、粘着テープ（４）〔ガムテープとも呼ばれているが、以下、粘着テープという〕を用いて、ごみ袋本体（１）との間に挟んで固定してもよいものであり、結び紐（３）の末端は、粘着テープ（４）より下方に出すよう構成する。また、当初より、ごみ袋本体（１）に装着していることが望ましい。
【００１２】
次に、この発明にかかるごみ袋の使用方法を説明すると、ごみ袋本体（１）内に、ごみ（Ｘ）を入れた後、先ず、幅広の相対向する開閉蓋（２）を閉じて、これらの結び紐（３）で結び、次に、幅狭の相対向する開閉蓋（２）を閉じて、これらの結び紐（３）で結ぶことによって、ごみ（Ｘ）をごみ袋本体（１）内に閉塞するものである。
【００１３】
【発明の効果】
この発明によると、ごみ袋本体（１）の上端部付近より下方に向けて、複数本の切り込み（ａ）を設けて、ごみ袋本体（１）の上端部と、これら切り込み（ａ）により囲まれた部分を開閉蓋（２）としたため、ごみ（Ｘ）が満杯になってもこれらの切り込みを有する開閉蓋（２）で押さえるため、収容容積を充分確保でき、また、速やかに、これら開閉蓋（２）、あるいはこれら開閉蓋（２）の下方であって、相対向する箇所に設けた結び紐（３）で、簡単に閉塞することができる。
【００１４】
さらに、この発明によると、ごみ（Ｘ）を収容し、結び紐（３）で閉じたごみ袋本体（１）は、この結び紐（３）の部分を利用して持ち運びできるため、ごみ収集車の作業員もその取扱いが簡単となり、作業上、効率がよい等極めて有効なる効果を奏するものである。
【図面の簡単な説明】
【図１】この発明の一実施例を示す斜視図である。
【図２】この発明の使用状態を示す斜視図である。
【図３】この発明の使用状態を示す断面図である。
【図４】従来例を示す斜視図である。
【符号の説明】
１  ごみ袋本体
２  開閉蓋
３  結び紐
４  粘着テープ
ａ  切り込み
Ｘ  ごみ
【図１】
2004269094.tif 000003
【図２】
2004269094.tif 000004
【図３】
2004269094.tif 000005
【図４】
2004269094.tif 000006